(57)【要約】【課題】着脱性の低下を抑制しつつ、防犯性の向上を図ることが可能な照明装置を得る。【解決手段】照明装置２０は、光源３２３を有し、壁部１２に形成された埋込穴１４に埋め込まれる灯具本体３０と、頭部４１を有し、灯具本体３０に締結されて、灯具本体３０を壁部１２に対して直接または間接的に固定する取付ボルト４０と、を備えている。また、照明装置２０は、取付ボルト４０の頭部４１と同一形状の頭部５１を有し、灯具本体３０に取り付けられるが灯具本体３０の壁部１２に対する固定には寄与しないダミー部材５０を備えている。そして、灯具本体３０を壁部１２に対して直接または間接的に固定した状態で、取付ボルト４０の頭部４１とダミー部材５０の頭部５１とを、灯具本体３０の外部から視認できるようにした。【選択図】図４
2020177749.tif 000002
【特許請求の範囲】
【請求項１】
光源を有し、壁部に形成された埋込穴に埋め込まれる灯具本体と、
頭部を有し、前記灯具本体に締結されて、前記灯具本体を前記壁部に対して直接または間接的に固定する取付ボルトと、
前記取付ボルトの頭部と同一形状の頭部を有し、前記灯具本体に取り付けられるが前記灯具本体の前記壁部に対する固定には寄与しないダミー部材と、
を備え、
前記灯具本体を前記壁部に対して直接または間接的に固定した状態で、前記取付ボルトの頭部と前記ダミー部材の頭部とが、前記灯具本体の外部から視認可能であることを特徴とする照明装置。
【請求項２】
前記灯具本体は、
前記光源が配置される空間部を有し、前記埋込穴に埋め込まれるケースと、
前記空間部の一側に形成された開口部を覆うように取り付けられて前記光源からの光を外部に透過させるパネル部材と、
を備えており、
前記パネル部材に、前記取付ボルトおよび前記ダミー部材が取り付けられていることを特徴とする請求項１に記載の照明装置。
【請求項３】
前記パネル部材と前記ケースとが前記取付ボルトによって締結されていることを特徴とする請求項２に記載の照明装置。
【請求項４】
前記壁部の内側には、前記埋込穴に向けて突出するボルトが形成されており、
前記ケースが前記ボルトに締結されることを特徴とする請求項２または請求項３に記載の照明装置。
【請求項５】
前記パネル部材は、前記開口部を覆うように取り付けた状態で前記ケースの前記埋込穴への挿入方向に沿って視たときに、前記壁部における前記埋込穴の周縁部と重なり合うように配置される枠部を備えており、
前記枠部に、前記取付ボルトおよび前記ダミー部材が取り付けられていることを特徴とする請求項２〜４のうちいずれか１項に記載の照明装置。
【請求項６】
前記枠部には、前記取付ボルトの頭部および前記ダミー部材の頭部が配置される頭部配置空間が形成されており、
前記枠部は、前記頭部配置空間の前記挿入方向の手前側を画成する手前壁を備えており、
前記手前壁には、前記頭部配置空間に連通し、前記取付ボルトの頭部および前記ダミー部材の頭部の挿入が許容されて、成人の指の挿入が規制される挿通孔が形成されていることを特徴とする請求項５に記載の照明装置。
【請求項７】
前記取付ボルトの頭部と前記ダミー部材の頭部とが前記枠部に沿って交互に配置されていることを特徴とする請求項５または請求項６に記載の照明装置。
【請求項８】
前記取付ボルトの頭部と前記ダミー部材の頭部とが前記枠部に沿って均等に配置されていることを特徴とする請求項５〜７のうちいずれか１項に記載の照明装置。
【発明の詳細な説明】
【技術分野】
【０００１】
本開示は、照明装置に関する。
【背景技術】
【０００２】
従来、照明装置として、下方に開口した状態で天井に埋め込み固定されるケースと、ケースの空間内に配置される発光板と、ケースの開口を塞ぐように取り付けられる拡散板と、を備えるものが知られている（例えば、特許文献１参照）。
【０００３】
この特許文献１では、拡散板は、取付ばねを介してケースに着脱自在に取り付けられている。
【先行技術文献】
【特許文献】
【０００４】
【特許文献１】実用新案登録第３１７４８００号公報
【発明の概要】
【発明が解決しようとする課題】
【０００５】
上記特許文献１に開示の照明装置は、拡散板や発光板等の部品を容易に取り外すことができるようになっている。
【０００６】
しかしながら、留置場や裁判所等、部品の取り外しや破壊等を抑制することにより防犯性が高められた照明装置を設置する必要のある場所もあり、上記特許文献１に開示の照明装置は、このような場所への設置にはあまり適さないものとなっている。
【０００７】
そのため、照明装置の防犯性を高めることで、留置場や裁判所等への設置にも適するようにするのが好ましい。
【０００８】
そして、照明装置の防犯性を高める方法としては、多くの取付ボルトを用いて照明装置を天井等の壁部に埋め込み固定することが考えられる。
【０００９】
しかしながら、上述のように、多くの取付ボルトを用いる方法では、照明装置の防犯性を高めることは可能であるが、照明装置の点検時や部品の交換時等の着脱作業が煩雑になってしまう。
【００１０】
そこで、本開示は、着脱性の低下を抑制しつつ、防犯性の向上を図ることが可能な照明装置を得ることを目的とする。
【課題を解決するための手段】
【００１１】
本開示にかかる照明装置は、光源を有し、壁部に形成された埋込穴に埋め込まれる灯具本体と、頭部を有し、前記灯具本体に締結されて、前記灯具本体を前記壁部に対して直接または間接的に固定する取付ボルトと、を備えている。また、照明装置は、前記取付ボルトの頭部と同一形状の頭部を有し、前記灯具本体に取り付けられるが前記灯具本体の前記壁部に対する固定には寄与しないダミー部材を備えている。そして、前記灯具本体を前記壁部に対して直接または間接的に固定した状態で、前記取付ボルトの頭部と前記ダミー部材の頭部とが、前記灯具本体の外部から視認可能である。
【発明の効果】
【００１２】
本開示によれば、着脱性の低下を抑制しつつ、防犯性の向上を図ることが可能な照明装置を得ることができる。
【図面の簡単な説明】
【００１３】
【図１】一実施形態にかかる照明装置が天井に埋め込み固定された状態を模式的に示す斜視図である。
【図２】一実施形態にかかる照明装置が天井に埋め込み固定された状態を模式的に示す断面図である。
【図３】一実施形態にかかる照明装置を模式的に示す図であって、（ａ）は側面図、（ｂ）は天井裏から視た図、（ｃ）は外側から視た図である。
【図４】一実施形態にかかるパネル部材が取付ボルトによってケースに取り付けられている状態を模式的に示す断面図である。
【図５】一実施形態にかかる取付ボルトの頭部の見え方を説明する図である。
【図６】一実施形態にかかるダミー部材がパネル部材に取り付けられている状態を模式的に示す断面図である。
【図７】一実施形態にかかるダミー部材の頭部の見え方を説明する図である。
【発明を実施するための形態】
【００１４】
以下、図面を参照しながら、本実施にかかる照明装置を説明する。また、以下では、照明装置として、壁部としての天井に形成された埋込穴に埋め込まれた状態で取り付けられる照明装置（天井埋め込み型の照明装置）を例示するとともに、光源部としてＬＥＤ光源を用いたものを例示する。
【００１５】
本実施形態にかかる照明装置２０は、図１および図２に示すように、天井１０に形成された埋め込み空間（埋込穴）１４に埋め込まれた状態で取り付けられるものであり、灯具本体３０を備えている。
【００１６】
灯具本体３０は、例えば鋼板などの金属で形成されたケース３１０を備えており、このケース３１０内に光源部３２０が収容保持されている。
【００１７】
ケース３１０は、一端が開口した箱状に形成されており、奥壁３１１と、奥壁３１１の外周端に連設された側壁３１３と、を備えている。なお、本実施形態では、幅方向の両側の側壁３１３が、傾斜壁３１２を介して奥壁３１１の外周端に連設されている（図２および図３参照）。
【００１８】
このように、一端が開口した箱状に形成することで、ケース３１０には、一端（一側：下側）に開口部３１０ａを有する空間部３１０ｂが形成されることになる。そして、本実施形態では、この空間部３１０ｂ内に光源部３２０が収容保持されている。なお、本実施形態では、略直方体状に形成されたケース３１０を例示しているが、ケースの形状はこれに限られるものではなく、様々な形状とすることができる。
【００１９】
また、ケース３１０の開口部３１０ａ側、すなわち、側壁３１３の開口部３１０ａ側の先端には、フランジ部３１４が外方に延在するように形成されている。さらに、奥壁３１１の長手方向の両側には、一対の挿通孔３１１ａが奥壁３１１を厚さ方向に貫通するように形成されている。この挿通孔３１１ａは、丸孔であってもよいし長孔であってもよい。
【００２０】
一方、天井１０には、室内側に開口部１４ａが形成された埋め込み空間（埋込穴）１４が形成されており、この埋め込み空間１４にケース３１０が収容されている。
【００２１】
具体的には、天井１０は、図２に示すように、基部１１と、基部１１から離間するように配置された天井壁（壁部）１２と、を備えており、基部１１と天井壁１２との間には、配線等を配置することが可能な天井空間１３が形成されている。
【００２２】
そして、天井壁１２にケース３１０の幅寸法および長さ寸法に対応した開口部１２ａを形成することで、開口部１４ａを有し、ケース３１０を収容可能な埋め込み空間１４を形成している。このような埋め込み空間１４にケース３１０を収容させると、フランジ部３１４が天井壁１２の壁面（壁部の表面）１２ｂに当接することとなる。
【００２３】
なお、天井空間が形成されていない天井壁に埋め込み空間を形成することも可能である。
【００２４】
また、基部１１には、雄ネジ部１５ｂを有するボルト１５が下方に向けて突出するように固定されている。このボルト１５は、ケース３１０を埋め込み空間１４に収容してフランジ部３１４を天井壁１２の壁面１２ｂに当接させた状態で、先端１５ａが挿通孔３１１ａを通過してケース３１０の空間部３１０ｂ内に突出するように、基部１１に設けられている。
【００２５】
そして、ケース３１０の空間部３１０ｂ内に突出した先端１５ａにナット１６を締結することで、ケース３１０が、天井１０に形成された埋め込み空間１４内に収容固定されている。なお、ケース３１０の挿通孔３１１ａの周囲には、ケース３１０が変形してしまうのを抑制する補強板３１５が設けられている。本実施形態では、補強板３１５は、空間部３１０ｂ内で奥壁３１１に取り付けられている。この補強板３１５の形状は様々な形状とすることができる。また、補強板３１５を取り付ける部位も適宜設定することができる。
【００２６】
このように、ケース３１０には、開口部３１０ａを有する空間部３１０ｂが形成されるとともに、空間部３１０ｂと外部とを連通してボルト１５が挿通される挿通孔３１１ａが形成されている。そして、ケース３１０は、ボルト１５によって天井１０に形成された埋め込み空間１４内に収容固定されている。
【００２７】
また、ケース３１０は、側壁３１３の開口部３１０ａ側に形成され、ケース３１０を埋め込み空間１４内に収容した状態で天井壁１２の壁面（壁部の表面）１２ｂに当接するフランジ部３１４を備えている。
【００２８】
そして、ケース３１０の空間部３１０ｂ内には、上述したように、光源部３２０が収容保持されている。本実施形態では、光源としてのＬＥＤ素子３２３を用いた光源部３２０を例示している。具体的には、ＬＥＤ素子３２３が設けられたライトバー３２２を、ケース３１０に固定されたライトバー本体３２１に取り付けることで、光源部３２０を形成している。
【００２９】
なお、光源部はライトバーを用いたものに限られるものではなく、様々な種類のものを光源部として用いることができる。例えば、直管形のＬＥＤランプをソケットに取り付けることで光源部を形成することができる。また、直管形のランプとしては、例えば、青色光を発するＬＥＤと、黄色の蛍光を発する蛍光体とを用いて、高輝度の白色光を出射するものを用いることができる。
【００３０】
また、光源部３２０は、図３（ｂ）に示すように、配線が接続されてＬＥＤ素子３２３に電気を供給する電源用端子３２４と、配線が接続されてＬＥＤ素子３２３の調光出力信号等が送信される信号用端子３２５と、を備えている。本実施形態では、奥壁３１１の長手方向の中央部に一対の挿通孔３１１ｂが奥壁３１１を厚さ方向に貫通するように形成されている。そして、天井空間１３に配置された配線が、この挿通孔３１１ｂａを通ってケース３１０の空間部３１０ｂ内に導入されて、電源用端子３２４や信号用端子３２５に接続されるようにしている。なお、この挿通孔３１１ｂａも、丸孔であってもよいし長孔であってもよい。
【００３１】
さらに、本実施形態では、ケース３１０に形成された開口部３１０ａが、ＬＥＤ素子３２３から出射した光を透過可能なパネル部材３３０によって閉塞されるようにしている。
【００３２】
具体的には、パネル部材３３０をケース３１０に着脱自在に装着させるようにしており、パネル部材３３０をケース３１０に装着させた状態で、ケース３１０の開口部３１０ａがパネル部材３３０によって覆われるようにしている。
【００３３】
すなわち、本実施形態にかかる灯具本体３０は、空間部３１０ｂの一側（手前側：照射空間側）に形成された開口部３１０ａを覆うように取り付けられて、ＬＥＤ素子３２３からの光を外部に透過させるパネル部材３３０を備えている。
【００３４】
このパネル部材３３０は、ＬＥＤ素子３２３から照射された光を透過させて外部に照射するパネル本体３３１と、パネル本体３３１の外周部３３１ａを支持するパネル支持部材３３２と、を備えている（図４および図６参照）。
【００３５】
さらに、パネル部材３３０は、パネル支持部材３３２の外周側に連設されて、パネル部材３３０をケース３１０に装着させた状態で、ケース３１０のフランジ部３１４を外側から覆うように配置される枠部３３３を備えている。すなわち、本実施形態にかかる枠部３３３は、開口部３１０ａを覆うようにパネル部材３３０取り付けた状態で、下側から見上げたときに、天井壁１２における埋め込み空間（埋込穴）１４の周縁部１２ｃと重なり合うように配置されるものである。なお、本実施形態では、下側からパネル部材３３０を見上げた状態が、ケース３１０の埋め込み空間（埋込穴）１４への挿入方向に沿って視た状態に相当している。
【００３６】
パネル本体３３１は、開口部３１０ａよりも一回り小さい長方形状の透明な平板である。このパネル本体３３１は、比較的割れにくい材質であるポリカーボネート樹脂を用いて形成するのが好ましい。なお、パネル本体３３１は、ポリカーボネート樹脂で形成される必要はなく、例えば、ガラスや他の樹脂等、様々な材料を用いて形成することも可能である。
【００３７】
パネル支持部材３３２は、パネル本体３３１の周囲を囲うように形成された周壁３３２ａと、周壁３３２ａの下端（手前側の端部）から内側（パネル本体３３１側）に向けて略水平に延設された底壁３３２ｂと、を備えている。なお、パネル本体３３１の全周を囲うように周壁３３２ａや底壁３３２ｂを形成してもよい。また、パネル本体３３１の一部が囲われないようにした状態で周壁３３２ａや底壁３３２ｂを形成してもよい。
【００３８】
そして、パネル本体３３１の外周部３３１ａが、底壁３３２ｂ上に手前側パッキン３４０を介して載置されている。この手前側パッキン３４０は、例えばゴムなどの弾性材料を用いて形成することができる。
【００３９】
さらに、本実施形態では、パネル支持部材３３２には、ＬＥＤ素子３２３から照射された光を反射させる反射部材３３４が取り付けられており、この反射部材３３４とパネル支持部材３３２とで、パネル本体３３１の外周部３３１ａが挟持されるようにしている。
【００４０】
具体的には、反射部材３３４は、ＬＥＤ素子３２３から照射された光を反射させる反射板３３４ａを備えている。また、反射部材３３４は、反射板３３４ａの下端（手前側の端部）から外側に向けて略水平に延設された押圧部３３４ｂと、押圧部３３４ｂの外周端から上側（奥側）に向けて立ち上がる取付片３３４ｃと、を備えている。
【００４１】
本実施形態では、この取付片３３４ｃを周壁３３２ａにボルト６１およびナット６２で締結することで、反射部材３３４をパネル支持部材３３２に取り付けている。このとき、押圧部３３４ｂが奥側パッキン３５０を介してパネル本体３３１の外周部３３１ａを下方に押圧するようにしている。なお、奥側パッキン３５０も、ゴムなどの弾性材料を用いて形成することができる。
【００４２】
また、反射板３３４ａは、図２に示すように、下方（手前側）に向かうにつれて拡径するように形成されており、パネル部材３３０をケース３１０に装着させたときに、反射板３３４ａの上端（奥側）の間に光源部３２０が配置されるようになっている。
【００４３】
そして、枠部３３３は、断面視で略Ｕ字状をしており、下側（手前側）に位置して略水平に延在する手前壁３３３１を備えている。また、枠部３３３は、手前壁３３３１の外周端から上側（奥側）に向けて延設された外周壁３３３２と、手前壁３３３１の内周端から上側（奥側）に向けて延設された内周壁３３３３と、を備えている。なお、本実施形態では、手前側パッキン３４０が内周壁３３３３と取付片３３４ｃとで挟持されるようにしている。
【００４４】
さらに、枠部３３３は、手前壁３３３１の裏側（奥側）に配置されるブラケット３３３４を備えている。このブラケット３３３４は、先端を外周壁３３３２の内面に突き当てた状態で手前壁３３３１の裏側（奥側）に載置される手前側水平片３３３４ａと、手前側水平片３３３４ａの内周端から上側（奥側）に向けて延設された手前側垂直片３３３４ｂとを備えている。また、ブラケット３３３４は、手前側垂直片３３３４ｂの内周端から上側（奥側）に向けて延設された奥側水平片３３３４ｃと、奥側水平片３３３４ｃの内周端から上側（奥側）に向けて延設された奥側垂直片３３３４ｄとを備えている。
【００４５】
そして、奥側垂直片３３３４ｄを周壁３３２ａにボルト６１およびナット６２で締結することで、ブラケット３３３４をパネル支持部材３３２に取り付けている。このように、本実施形態では、奥側垂直片３３３４ｄ、周壁３３２ａおよび取付片３３４ｃが、１つのボルト６１および１つのナット６２によって締結固定されている。
【００４６】
また、このようなブラケット３３３４を手前壁３３３１の裏側（奥側）に設けることで、手前壁３３３１と奥側水平片３３３４ｃとの間に、空間（取付ボルト４０の頭部４１やダミー部材５０の頭部５１が配置される頭部配置空間３３３５）を形成している。
【００４７】
本実施形態にかかる照明装置２０は、上記のような構成とすることで、例えば、以下のようにして、天井１０に埋め込み固定されることになる。
【００４８】
まず、天井１０に形成された埋め込み空間１４内にケース３１０を収容し、ボルト１５およびナット１６により締結固定する。次に、光源部３２０をケース３１０の空間部３１０ｂ内に収容保持させる。次に、光源部３２０をケース３１０の空間部３１０ｂ内に収容保持した状態で、パネル部材３３０をケース３１０に装着させる。こうすることで、天井１０に埋め込み固定された照明装置２０が形成される。
【００４９】
ここで、本実施形態では、照明装置２０の防犯性の向上を図ることができるようにした。
【００５０】
具体的には、パネル部材３３０をケース３１０に装着させる際に、複数の取付ボルト４０を用いて取り付けるようにした。すなわち、複数の取付ボルト４０を用いて、パネル部材３３０（灯具本体３０）が、天井壁（壁部）１２に対して直接または間接的に固定されるようにした。
【００５１】
なお、本実施形態では、パネル部材３３０は、取付ばね３６０によってケース３１０に仮保持されるようになっている。したがって、本実施形態では、取付ばね３６０によってケース３１０に仮保持された状態のパネル部材３３０を複数の取付ボルト４０によってケース３１０に締結固定することになる。
【００５２】
さらに、本実施形態では、照明装置２０の着脱性が低下してしまうことも抑制できるようにしている。
【００５３】
具体的には、灯具本体３０の天井壁（壁部）１２に対する固定には寄与しないダミー部材５０を用い、照明装置２０を天井１０に埋め込み固定した状態で、実際に用いられている数以上の取付ボルト４０によって固定されているような外観となるようにしている。
【００５４】
なお、本実施形態では、パネル部材３３０が間接的に天井壁（壁部）１２に固定されるようにしたものを例示している。すなわち、ボルト１５およびナット１６により天井１０に締結固定されたケース３１０に、パネル部材３３０を、取付ボルト４０およびナット４３により締結することで、パネル部材３３０が間接的に天井壁（壁部）１２に固定されるようにしたものを例示している。
【００５５】
ここで、本実施形態では、取付ボルト４０は、頭部４１と、頭部４１よりも小径で、頭部４１に連設された軸部４２と、を有しており、ダミー部材５０は、取付ボルト４０の頭部４１と同一形状の頭部５１を有している（図４〜図７参照）。
【００５６】
そして、枠部３３３の手前壁３３３１には、取付ボルト４０の頭部４１およびダミー部材５０の頭部５１が挿入可能な挿通孔３３３１ａが、頭部配置空間３３３５に連通するように複数形成されている。本実施形態では、挿通孔３３３１ａは、取付ボルト４０の頭部４１およびダミー部材５０の頭部５１の挿入は許容されるが、成人の指の挿入は規制される程度の大きさとなるように形成されている。この挿通孔３３３１ａの内径は、例えば、９ｍｍ程度とすることができる。
【００５７】
また、奥側水平片３３３４ｃには、軸部４２の挿入を許容しつつ頭部４１の挿入を規制する挿通孔３３３４ｅが、取付ボルト４０の頭部４１が挿通される挿通孔３３３１ａと対応するように形成されている。この挿通孔３３３４ｅは、ケース３１０の埋め込み空間（埋込穴）１４への挿入方向に沿って視た状態で、挿通孔３３３１ａと同軸となるように形成されている（図４参照）。
【００５８】
そして、ケース３１０の側壁３１３の内側には、Ｌ字状のブラケット３１６が固定されている。具体的には、ブラケット３１６は、上下方向（鉛直方向）に延在し、側壁３１３の内側に固定される垂直片３１６ａと、垂直片３１６ａの下端から内側に向けて延設された水平片３１６ｂと、を備えている。このブラケット３１６は、ケース３１０の埋め込み空間（埋込穴）１４への挿入方向に沿って視た状態で、水平片３１６ｂが、挿通孔３３３１ａおよび挿通孔３３３４ｅと重なり合うようにした状態で、側壁３１３の内側に固定されている。
【００５９】
また、水平片３１６ｂには、軸部４２の挿入を許容しつつ頭部４１の挿入を規制する挿通孔３１６ｃが形成されており、この水平片３１６ｂの裏側（奥側）に、ナット４３が挿通孔３１６ｃと連通するように固定されている。なお、挿通孔３１６ｃも、ケース３１０の埋め込み空間（埋込穴）１４への挿入方向に沿って視た状態で、挿通孔３３３１ａと同軸となるように形成されている。
【００６０】
そして、取付ボルト４０の全体を挿通孔３３３１ａから挿通させ、軸部４２を挿通孔３３３４ｅおよび挿通孔３１６ｃに挿通させ、水平片３１６ｂに固定されたナット４３に軸部４２を締結させることで、パネル部材３３０をケース３１０に締結固定している。このとき、頭部４１は、頭部配置空間３３３５内に配置された状態で、ケース３１０の埋め込み空間（埋込穴）１４への挿入方向に沿って視たときに、挿通孔３３３１ａから視認することができるようになっている。
【００６１】
なお、本実施形態では、成人の指の挿入が規制される挿通孔３３３１ａの奥側で、取付ボルト４０がナット４３に締結されるようにすることで、取付ボルト４０を素手でナット４３に締結したり、ナット４３から取り外したりすることができないようにしている。すなわち、挿通孔３３３１ａに挿入することができる上、取付ボルト４０を回動させることができるドライバーなどの専用の工具を用いないと、取付ボルト４０の着脱ができないようにしている。
【００６２】
こうすることで、専用の工具を持たない人が取付ボルト４０を外してしまうことを抑制できるようにしている。
【００６３】
また、本実施形態では、奥側水平片３３３４ｃにおけるダミー部５０の頭部５１が挿通される挿通孔３３３１ａと対応する部位に、挿通孔が形成されないようにしている。そして、ダミー部５０の頭部５１が頭部配置空間３３３５内に配置された状態でこの奥側水平片３３３４ｃに固定されるようにしている（図６参照）。具体的には、ダミー部５０の頭部５１は、溶接等により奥側水平片３３３４ｃに固定されており、奥側水平片３３３４ｃに対して相対的に回動してしまうことが規制されている。
【００６４】
そして、ダミー部５０の頭部５１も、挿通孔３３３１ａから挿通させることで奥側水平片３３３４ｃに固定されており、頭部５１は、頭部配置空間３３３５内に配置された状態で、挿通孔３３３１ａから視認することができるようになっている。
【００６５】
こうすることで、頭部５１を素手で触ることができないようにしている。また、溶接等により奥側水平片３３３４ｃに固定することで、ダミー部材５０の存在を知らずにパネル部材３３０の取り外しを試みた場合に、取付ボルト４０が通常の力では取り外すことができないほど強固に固定されていると勘違いさせることができる。すなわち、パネル部材３３０の取り外しを試みた人に、パネル部材３３０の取り外しを諦めさせることができるようになる。
【００６６】
なお、取付ボルト４０と同一のボルトをダミーボルト（ダミー部材）として用い、ケース３１０には固定させず、奥側水平片３３３４ｃに対して空回りさせるようにしてもよい。こうすることでも、パネル部材３３０の取り外しを試みた人に、パネル部材３３０の取り外しを諦めさせることができるようになる。
【００６７】
そして、本実施形態では、灯具本体３０を天井壁（壁部）１２に対して直接または間接的に固定した状態で、６個の取付ボルト４０の頭部４１と６個のダミー部材５０の頭部５１とが、灯具本体３０の外部から視認できるようにしている。そして、取付ボルト４０の頭部４１とダミー部材５０の頭部５１とが同一の形状をしており、灯具本体３０を外部から視ただけでは、取付ボルト４０の頭部４１かダミー部材５０の頭部５１かを見分けることができないようにしている（図５および図７参照）。
【００６８】
そのため、ダミー部材５０の存在を知らずに天井壁１２に固定された灯具本体３０を視た人は、パネル部材３３０が１２個の取付ボルト４０でケース３１０に固定されていると錯覚してしまう。その結果、ダミー部材５０の存在を知らずに灯具本体３０を視た人に、パネル部材３３０の取り外しを諦めさせることができるようになる。
【００６９】
ただし、実際には、パネル部材３３０は、６個の取付ボルト４０でケース３１０に固定されている。したがって、ダミー部材５０の存在を知っている作業者は、照明装置２０の点検時や部品の交換時等に、６個の取付ボルト４０を着脱させるだけで、パネル部材３３０の着脱を行うことになる。
【００７０】
このように、本実施形態では、頭部４１，５１の破壊やパネル部材３３０の盗難を抑制できるようにすることで防犯性の向上を図っている。さらに、取付ボルトの数を見た目よりも少なくすることで、パネル部材３３０（照明装置２０）の着脱性が低下してしまうことを抑制できるようにしている。
【００７１】
さらに、本実施形態では、パネル部材３３０の枠部３３３に、取付ボルト４０およびダミー部材５０が取り付けられており、取付ボルト４０の頭部４１とダミー部材５０の頭部５１とが枠部に沿って交互に配置されるようにしている。こうすれば、取付ボルト４０の頭部４１の位置をより容易に把握することができるようになる。
【００７２】
さらに、取付ボルト４０の頭部４１とダミー部材５０の頭部５１とが枠部３３３に沿って均等に配置されるようにしている。
【００７３】
具体的には、取付ボルト４０の頭部４１およびダミー部材５０の頭部５１は、略矩形の枠状の枠部３３３の長辺においては、互いに隣り合う頭部４１と頭部５１との間の距離が略同一となるように配置されている。そして、略矩形の枠状の枠部３３３の短辺においては、略中央部に１つの頭部（頭部４１と頭部５１のいずれか）が配置されている。こうすることで、複数の頭部（頭部４１および頭部５１）が対称性を持って枠部３３３に配置されるようにしている。
【００７４】
こうすることで、天井壁１２に取り付けた照明装置２０を、より違和感のない見た目とすることができるようにしている。
【００７５】
以上説明したように、本実施形態にかかる照明装置２０は、ＬＥＤ素子（光源）３２３を有し、天井壁（壁部）１２に形成された埋め込み空間（埋込穴）１４に埋め込まれる灯具本体３０を備えている。
【００７６】
また、照明装置２０は、頭部４１を有し、灯具本体３０に締結されて、灯具本体３０を天井壁（壁部）１２に対して直接または間接的に固定する取付ボルト４０を備えている。
【００７７】
さらに、照明装置２０は、取付ボルト４０の頭部４１と同一形状の頭部５１を有し、灯具本体３０に取り付けられるが灯具本体３０の天井壁（壁部）１２に対する固定には寄与しないダミー部材５０を備えている。
【００７８】
そして、灯具本体３０を天井壁（壁部）１２に対して直接または間接的に固定した状態で、取付ボルト４０の頭部４１とダミー部材５０の頭部５１とを、灯具本体３０の外部から視認できるようにした。
【００７９】
こうすれば、ダミー部材５０の存在を知らずに天井壁１２に固定された灯具本体３０を視た人に、多くの取付ボルト４０によって灯具本体３０が固定されていると錯覚させることができる。その結果、ダミー部材５０の存在を知らずに灯具本体３０を視た人に、灯具本体３０の取り外しを諦めさせることができるようになる。
【００８０】
このように、灯具本体３０の取り外しを諦めさせるようにすれば、灯具本体３０の盗難が抑制されて、防犯性の向上を図ることができるようになる。
【００８１】
また、灯具本体３０を取り外す際には、ダミー部材５０を無視して取付ボルト４０の着脱を行えばよいため、ダミー部材５０の存在を知っている作業者であれば、取付ボルト４０を着脱させるだけで灯具本体３０の着脱を行うことができる。その結果、照明装置２０の着脱性が低下してしまうことを抑制することができるようになる。
【００８２】
このように、本実施形態によれば、着脱性の低下を抑制しつつ、防犯性の向上を図ることが可能な照明装置２０を得ることができる。
【００８３】
また、灯具本体３０が、ＬＥＤ素子（光源）３２３が配置される空間部３１０ｂを有し、埋め込み空間（埋込穴）１４に埋め込まれるケース３１０を備えるようにしてもよい。また、灯具本体３０が、空間部３１０ｂの一側に形成された開口部３１０ａを覆うように取り付けられてＬＥＤ素子（光源）３２３からの光を外部に透過させるパネル部材３３０を備えるようにしてもよい。
【００８４】
そして、パネル部材３３０に、取付ボルト４０およびダミー部材５０が取り付けられるようにしてもよい。
【００８５】
このように、パネル部材３３０を設けることで、パネル部材３３０を取り外さないと、ＬＥＤ素子（光源）３２３等を取り外すことができない構成とすることができる。さらに、パネル部材３３０に取付ボルト４０およびダミー部材５０を取り付けるようにしているため、パネル部材３３０の取り外しをより確実に諦めさせることができる。その結果、ＬＥＤ素子（光源）３２３等の破壊や盗難が、より確実に抑制されるため、照明装置２０の防犯性をより向上させることができるようになる。
【００８６】
また、パネル部材３３０とケース３１０とが取付ボルト４０によって締結されるようにしてもよい。
【００８７】
こうすれば、パネル部材３３０を天井壁（壁部）１２に対してより強固に固定することが可能となる。また、天井壁（壁部）１２に取付ボルト４０を締結する穴を設ける必要がなくなるため、照明装置２０の埋め込み作業性をより向上させることができるようになる。
【００８８】
また、天井壁（壁部）１２の内側に、埋め込み空間（埋込穴）１４に向けて突出するボルト１５が形成されるようにしてもよい。
【００８９】
そして、ケース３１０がボルト１５に締結されるようにしてもよい。
【００９０】
こうすれば、ケース３１０を取付ばねで天井壁（壁部）１２に固定する場合と較べて、より強固にケース３１０を天井壁（壁部）１２に固定することができるようになる。その結果、照明装置２０の防犯性をより向上させることができるようになる。
【００９１】
また、パネル部材３３０が、開口部３１０ａを覆うように取り付けた状態でケース３１０の埋め込み空間１４への挿入方向に沿って視たときに、天井壁１２における埋め込み空間１４の周縁部１２ｃと重なり合うように配置される枠部３３３を備えていてもよい。
【００９２】
そして、枠部３３３に、取付ボルト４０およびダミー部材５０が取り付けられるようにしてもよい。
【００９３】
こうすれば、ＬＥＤ素子（光源）３２３からの光を外部に透過させる際に、光が取付ボルト４０やダミー部材５０に当たって散乱してしまうことを、より確実に抑制することができるようになる。すなわち、照明装置２０の機能が損なわれてしまうことを抑制しつつ、照明装置２０の着脱性の低下の抑制、および、防犯性の向上を図ることができるようになる。
【００９４】
また、枠部３３３には、取付ボルト４０の頭部４１およびダミー部材５０の頭部５１が配置される頭部配置空間３３３５が形成されるようにしてもよい。
【００９５】
また、枠部３３３が、頭部配置空間３３３５の挿入方向の手前側を画成する手前壁３３３１を備えるようにしてもよい。
【００９６】
そして、手前壁３３３１に、頭部配置空間３３３５に連通し、取付ボルト４０の頭部４１およびダミー部材５０の頭部５１の挿入が許容されて、成人の指の挿入が規制される挿通孔３３３１ａが形成されるようにしてもよい。
【００９７】
こうすれば、取付ボルト４０やダミー部材５０を素手で触ることができなくなるため、防犯性のより一層の向上を図ることができるようになる。
【００９８】
また、取付ボルト４０の頭部４１とダミー部材５０の頭部５１とが枠部３３３に沿って交互に配置されるようにしてもよい。
【００９９】
こうすれば、取付ボルト４０の頭部４１の位置をより容易に把握することができるようになる。その結果、照明装置２０の着脱性が低下してしまうことをより確実に抑制することができるようになる。
【０１００】
また、取付ボルト４０の頭部４１とダミー部材５０の頭部５１とが枠部３３３に沿って均等に配置されるようにしてもよい。
【０１０１】
こうすれば、天井壁１２に取り付けた照明装置２０を、より違和感のない見た目とすることができるようになる。
【０１０２】
以上、本開示の好適な実施形態について説明したが、上記実施形態には限定されず、種々の変形が可能である。
【０１０３】
例えば、上記実施形態では、天井に形成された埋め込み穴に埋め込まれた状態で取り付けられる天井埋め込み型の照明装置を例示したが、建物の側壁に形成された埋め込み穴に埋め込まれる照明装置とすることも可能である。
【０１０４】
また、上記実施形態では、パネル部材３３０（灯具本体３０）が、天井壁（壁部）１２に対して間接的に固定されるようにしたものを例示したが、パネル部材３３０（灯具本体３０）を天井壁（壁部）１２に直接固定させるようにすることも可能である。
【０１０５】
また、上記実施形態では、灯具本体３０がパネル部材３３０を備えるものを例示したが、パネル部材３３０を備えていない灯具本体３０とすることも可能である。
【０１０６】
また、上記実施形態では、ＬＥＤ光源を光源部として用いたものを例示したが、半導体光源等を用いることも可能である。
【０１０７】
また、ケースや光源、その他細部のスペック（形状、大きさ、レイアウト等）も適宜に変更可能である。
【符号の説明】
【０１０８】
１２  天井壁（壁部）
１４  埋め込み空間（埋込穴）
１５  ボルト
２０  照明装置
３０  灯具本体
３１０  ケース
３１０ａ  開口部
３１０ｂ  空間部
３２３  ＬＥＤ素子（光源）
３３０  パネル部材
３３３  枠部
３３３ａ  手前壁
３３３１ａ  挿通孔
３３３５  頭部配置空間
４０  取付ボルト
４１  頭部
５０  ダミー部材
５１  頭部
【図１】
2020177749.tif 000003
【図２】
2020177749.tif 000004
【図３】
2020177749.tif 000005
【図４】
2020177749.tif 000006
【図５】
2020177749.tif 000007
【図６】
2020177749.tif 000008
【図７】
2020177749.tif 000009